(57)【要約】【課題】  ＩＰ端末から市外局番無しで市内発信を行った場合でも、各拠点に設置されたＭＧを選択し正確な接続を実現する最適ルーティング方式を提供する。【解決手段】  拠点Ａ〜Ｃに位置情報を識別するＩＤを設定し、各ＩＰ端末に対してもＩＤを設定する。ＩＰ端末が発信したときはそのＩＰ端末が属する拠点のＩＤを求め、そのＩＤとダイヤルしたコードの組み合わせから発信ルート（ＭＧ）を選択することにより、同じ市内番号でもＩＤが異なれば異なったルート（ＭＧ）の選択が可能となり、各拠点において市内番号のみで市内発信を実現する。【選択図】  図１
2006253901.tif 000002
【特許請求の範囲】
【請求項１】
ＩＰ−ＰＢＸに対してＩＰ端末とメディアゲートウェイを含む複数の拠点がＩＰ網を介して接続され、前記複数の拠点は前記メディアゲートウェイを介して公衆網と接続するネットワークシステムにおいて、前記拠点毎にＩＤを設定し、
前記ＩＰ−ＰＢＸは、前記ＩＰ端末毎の内線番号と当該拠点ＩＤとの対応を示すＩＤ識別メモリと、局線発信特番及び市外局番からなるダイヤルコードと前記ＩＤとの組み合わせにより発信ルートを選択する発信ルート選択メモリとを有し、ＩＰ端末の発信ダイヤル番号からダイヤルコードを解析して市外発信であると判断した場合は、前記発信ルート選択メモリを参照して前記受信したダイヤルコードと当該ＩＰ端末の拠点ＩＤの組み合わせから発信ルートを選択し、選択された発信ルートの拠点にあるメディアゲートウェイに接続することを特徴とする最適ルーティング方式。
【請求項２】
前記ＩＰ−ＰＢＸは、ＩＰ端末の発信ダイヤル番号からダイヤルコードを解析して市内発信であると判断した場合は、前記ＩＤ識別メモリを参照して発信側ＩＰ端末の内線番号から前記発信側ＩＰ端末の拠点ＩＤを割り出した後、前記発信ルート選択メモリを参照して解析されたダイヤルコードと割り出された拠点ＩＤの組み合わせから発信ルートを選択し、選択された発信ルートの拠点にあるメディアゲートウェイに接続することを特徴とする請求項１記載の最適ルーティング方式。
【請求項３】
前記ＩＰ−ＰＢＸに収容されるＩＰ端末同士が通話中の時に一方のＩＰ端末が他方のＩＰ端末を保留して市内発信を行う場合、ＩＰ端末の発信ダイヤル番号からダイヤルコードを解析して市内発信であると判断した場合は、前記ＩＤ識別メモリを参照して発信側ＩＰ端末の内線番号から前記発信側ＩＰ端末の拠点ＩＤを割り出した後、前記発信ルート選択メモリを参照して解析されたダイヤルコードと割り出された拠点ＩＤの組み合わせから発信ルートを選択し、選択された発信ルートの拠点にあるメディアゲートウェイに接続することを特徴とする請求項１または２記載の最適ルーティング方式。
【請求項４】
前記ＩＰ端末に不在転送先として市内発信番号が予め登録されている場合、前記ＩＰ端末の拠点に設置されたメディアゲートウェイを使用して市内発信を行うことを特徴とする請求項１乃至３記載の最適ルーティング方式。
【請求項５】
前記ＩＰ−ＰＢＸは、前記発信ルートメモリを参照して該当する発信ルートがない場合、または前記ＩＤメモリを参照した際に該当するＩＤがない場合は発信規制処理を行うことを特徴とする請求項１乃至４記載の最適ルーティング方式。
【発明の詳細な説明】
【技術分野】
【０００１】
本発明は、ＩＰネットワークにおける発信ルート選択方式に関し、特に拠点毎に発信ルートを決定する最適ルーティング方式に関する。
【背景技術】
【０００２】
近年ＩＰネットワークに接続可能な構内交換機（ＩＰ−ＰＢＸ）に対して複数の拠点にＭｅｄｉａ  Ｇａｔｅｗａｙ：（ＩＰ網と公衆網を接続し、音声・信号のデータ変換、中継を行う装置で以下「ＭＧ」とする）を設置してＩＰ網から公衆網への発信を行うシステムが考案されている。
【０００３】
図６は従来のシステムの構成を示すブロック図で、図６に示されるようにＩＰ−ＰＢＸ１とＩＰ端末Ａ５、ＭＧ２を収容している拠点Ａと、ＩＰ端末７、ＭＧ４を収容する拠点Ｃがある。ＭＧ２、ＭＧ７はそれぞれ公衆網９に接続されている。また、ＩＰ端末Ａ５、ＩＰ端末Ｃ７、ＭＧ２、ＭＧ７はそれぞれＩＰ網７に接続されている。図６の従来のシステムではＩＰ端末が外線発信番号をダイヤルすることにより、番号に対応したＭＧを捕捉する。
【０００４】
また特許文献１には、市外発信時は一番近い地域にあるＭＧを選択するゲートウェイ選択制御システムが記載されている。以下に、図７、図８を参照して特許文献１に記載された発明の動作を説明する。図７は特許文献１に記載された発明の構成を示すブロック図で、ＩＰ網８に音声端末通信装置７１と、ゲートウェイ７２、ゲートウェイ７３が接続されている。ゲートウェイ７２は市外局番「０４４」に近い公衆網９に接続され、ゲートウェイ７３は市外局番「０７８」に近い公衆網９に接続されている。
【０００５】
また音声端末通信装置７１は記憶装置（図示せず）を有し、記憶装置内に、図７に示すような、ゲートウェイ装置と接続されている市外局番を示すゲートウェイ検索テーブルを保持している。音声端末通信装置７１が「０４４＊＊＊＊＊＊＊」とダイヤルすれば図７に示すゲートウェイ検索テーブルから市外局番「０４４」に対応したゲートウェイ７２を選択して接続するので、市外発進時に最適なＭＧを捕捉することができる。
【０００６】
【特許文献１】特願平０９−２６１２７５号
【発明の開示】
【発明が解決しようとする課題】
【０００７】
上述した従来のシステムでは市内発信を行う場合も市外局番を含む電話番号を全桁ダイヤルする必要がある。図６を参照してその理由を説明する。
【０００８】
例えば図６の拠点Ａ、拠点Ｃに同じ市内番号「３１２３４５６７」が存在した場合、発信ルートデータの０設定で拠点Ａでは局線発信特番「０」+市内番号：「３１２３４５６７」で拠点ＡのＭＧを使用し発信は可能となるが、拠点Ｃで市内発信を行う場合は局線発信特番「０」+市内番号「３１２３４５６７」では拠点ＡのＭＧ２を使用するため拠点Ａの市内に接続してしまう。このため、市外局番をダイヤルしなければ拠点Ｃの市内へ発信出来なくなる。これを防ぐ為には局データで各拠点の市内発信の局線発信特番を分けなければならず、各拠点で市内発信の方法が異なり不便が生じるという問題点がある。
【０００９】
また特許文献１に記載された最適なＭＧ（ゲートウェイ）の選択方式では、背景技術で説明した通り、市外発信時は最適なＭＧを捕捉することはできるが、市内発信に関しては考慮されていないという問題点がある。
【００１０】
本発明は上記問題点を鑑みて、ＩＰ端末から市外局番無しで市内発信を行った場合でも、各拠点に設置されたＭＧを選択し正確な接続を実現する最適ルーティング方式を提供することを目的とする。
【００１１】
また本発明の他の目的は、ユーザが他の拠点に移動し、自内線の内線番号で接続したとき、市内発信でのルートを前拠点にするのか、現在の拠点にするのか選択可能な最適ルーティング方式を提供することである。
【００１２】
また本発明の他の目的は、市外局番をダイヤルして発信した場合に最も近い拠点までＩＰ網を使用し局線の利用料金を抑える事が可能な最適ルーティング方式を提供することである。
【課題を解決するための手段】
【００１３】
本発明は、ＩＰ−ＰＢＸに対してＩＰ端末とメディアゲートウェイを含む複数の拠点がＩＰ網を介して接続され、前記複数の拠点は前記メディアゲートウェイを介して公衆網と接続するネットワークシステムにおいて、前記拠点毎にＩＤを設定し、前記ＩＰ−ＰＢＸは、前記ＩＰ端末毎の内線番号と当該拠点ＩＤとの対応を示すＩＤ識別メモリと、局線発信特番及び市外局番からなるダイヤルコードと前記ＩＤとの組み合わせにより発信ルートを選択する発信ルート選択メモリとを有し、ＩＰ端末の発信ダイヤル番号からダイヤルコードを解析して市外発信であると判断した場合は、前記発信ルート選択メモリを参照して前記受信したダイヤルコードと当該ＩＰ端末の拠点ＩＤの組み合わせから発信ルートを選択し、選択された発信ルートの拠点にあるメディアゲートウェイに接続することを特徴とする。
【００１４】
また、ＩＰ端末の発信ダイヤル番号からダイヤルコードを解析して市内発信であると判断した場合は、前記ＩＤ識別メモリを参照して発信側ＩＰ端末の内線番号から前記発信側ＩＰ端末の拠点ＩＤを割り出した後、前記発信ルート選択メモリを参照して解析されたダイヤルコードと割り出された拠点ＩＤの組み合わせから発信ルートを選択し、選択された発信ルートの拠点にあるメディアゲートウェイに接続することを特徴とする。
【発明の効果】
【００１５】
内線のＩＤに対応した各拠点のＭＧへ接続することにより、内線がどこに配置されていても市外局番をダイヤルせずに、その地域の市内発信が可能となる。
【００１６】
内線のＩＤに対応した各拠点のＭＧへ接続することにより、同じ番号をダイヤルしても内線が設置されている拠点に合わせて使用する局線を分けることが可能となる。
【００１７】
内線のＩＤに対応した各拠点のＭＧへ接続することにより、１１０番や１９９番等の緊急番号や、１７７等の地域固有サービス番号をダイヤルした場合、発信端末に最も近いＭＧから発信することが可能となる。
【発明を実施するための最良の形態】
【００１８】
次に、本発明の実施の形態について図面を参照して詳細に説明する。
【００１９】
図１は、本発明を実施するための最良の形態（以下、「本発明の実施形態」とする。）を説明するネットワーク図である。図１に示す通り、本発明の実施形態の構成は、ＩＰ−ＰＢＸ１、ＩＰ端末Ａ５、ＭＧ２とを収容する拠点Ａと、リモートオフィスとなる別の市外局番を持ち、ＩＰ端末Ｂ６、ＭＧ３を収容する拠点Ｂと、ＩＰ端末Ｃ７、ＭＧ４を収容する拠点Ｃがあり、ＭＧ２は市内Ａ，ＭＧ３は市内Ｂ、ＭＧ４は市内Ｃの公衆網９に接続されている（なお本発明の実施形態では、拠点Ａは市内Ａ、拠点Ｂは市内Ｂ、拠点Ｃは市内Ｃに属しているものとする）。
【００２０】
また、ＩＰ端末Ａ５、ＩＰ端末Ｂ６、ＩＰ端末Ｃ７、ＭＧ２〜４はそれぞれＩＰ網８に接続されており、ＩＰ−ＰＢＸ１は内線番号毎に拠点のＩＤを示すＩＤ識別メモリと、ＩＤとダイヤルしたコード（以下ＤＣ）から発信ルートを示す発信ルート選択メモリとを収容している。また本発明の実施形態では、拠点毎の位置情報を識別するＩＤが設定されている。
【００２１】
図２は、図１の構成を表で示した説明図で、各拠点Ａ〜Ｃに対応するＩＤ、市外局番、ＭＧルートを示している。拠点ＡはＩＤ＝００１と設定されＲＴ１０のＭＧが接続し、拠点ＢはＩＤ＝００２と設定されＲＴ２０のＭＧが接続し、拠点ＣはＩＤ＝００３と設定されＲＴ３０のＭＧが接続される。また各拠点はＩＰ網で接続されている。なお、ここで「０」は局線発信特番である。
【００２２】
図３は、本実施形態のＩＤ識別メモリの構成を示す説明図で、内線番号と拠点ＩＤの対応を示している。例えば、図３を参照すると、内線番号「３０００」は、拠点ＩＤ「００１」に対応しているので、内線番号「３０００」のＩＰ端末Ａが拠点Ａに位置していることを示している。
【００２３】
図４は、本実施形態の発信ルート選択メモリの構成を示す説明図で、拠点ＩＤとＤＣの組み合わせにより発信ルートが選択される。例えば、拠点ＩＤが「０００」、ＤＣが「００３」の場合は、発信ルート「１０」が選択されることとなる。
【００２４】
図５は、本発明の実施形態の動作を示すフローチャート図である。
【００２５】
次に本発明の実施形態の動作について、図１〜図５を参照して詳細に説明する。
図１、２に示される通り、拠点ＡはＩＤ＝００１と設定されＲＴ１０のＭＧ２が接続され、拠点ＢはＩＤ＝００２と設定されＲＴ２０のＭＧ３が接続され、拠点ＣはＩＤ＝００３と設定されＲＴ３０のＭＧ４が接続されている。さらに各拠点はＩＰ網８で接続されている。なお、ここで「０」は局線発信特番とする。
【００２６】
次に、本実施形態において市外局番をダイヤルした場合の動作について説明する。
【００２７】
拠点ＡのＩＰ端末Ａ５が「００３＊＊＊＊＊＊＊＊」とダイヤルすると、受信番号の解析が行われ、受信した番号は市外番号と判断される（図５  Ｓ１）。すると図４の発信ルート選択メモリからＤＣ００３に対応する発信ルートを求め（図５  Ｓ３）、ＲＴ１０と決定する。（Ｓ３の処理で発信ルートが設定されていない場合はＩＰ端末Ａ５に対して規制処理（図５  Ｓ５）を行う。）
上述した発信ルート選択フローにより拠点ＡのＭＧ２から発信を行う。拠点Ｂ、Ｃに存在する端末が「００３＊＊＊＊＊＊＊＊」とダイヤルすれば同様に拠点ＡのＭＧ２から発信を行う。
【００２８】
以上説明したように、本実施形態では、市外発信時は一番近い地域にあるＭＧを使用して発信することが可能である。
【００２９】
次に、本実施形態における市内発信動作について説明する。拠点ＡのＩＰ端末Ａ５が「０３＊＊＊＊＊＊＊」とダイヤルすると、受信番号の解析が行われ、受信した番号が市内番号である判断される（図５  Ｓ１）。すると図３のＩＤ識別メモリを参照してＩＰ端末Ａ５（内線番号３０００）のＩＤが「００１」であることを認識する（Ｓ３の処理でＩＰ端末Ａ５のＩＤが設定されていない場合はＩＰ端末Ａ５に対して規制処理（図５  Ｓ５）を行う。）
そして、Ｓ３の処理で図４の発信ルート選択メモリからＤＣ「０３」とＩＤ「００１」に対応する発信ルートを求め、発信ルートをＲＴ１０と決定する。（Ｓ３の処理で発信ルートが設定されていない場合はＩＰ端末Ａ５に対して規制処理（図５  Ｓ５）を行う）
上述した発信ルート選択フローにより拠点ＡのＭＧ２から発信を行い、市内Ａの公衆網９に接続される。また、拠点ＢのＩＰ端末Ｂ６が「０３＊＊＊＊＊＊＊」と発信した場合は拠点ＢのＭＧ３から発信を行い市内Ｂの公衆網９に接続し、拠点ＣのＩＰ端末Ｃ７が「０３＊＊＊＊＊＊＊」と発信した場合は拠点ＣのＭＧ３から発信を行い市内Ｃの公衆網９に接続する。
【００３０】
次に、本実施形態における簡易転送、自動転送での市内発信時の動作について説明する。
【００３１】
拠点ＡのＩＰ端末Ａ５と拠点ＢのＩＰ端末Ｂ６とが通話中の状態の時、ＩＰ端末Ｂ６がＩＰ端末Ａ５を保留し、市内発信を行うため、「０３＊＊＊＊＊＊＊」とダイヤルすると、受信番号の解析が行われ、受信した番号が市内番号である判断される（図５  Ｓ１）。すると図３のＩＤ識別メモリを参照してＩＰ端末Ａ５（内線番号４０００）のＩＤが「００２」であることを認識する。（Ｓ２の処理でＩＰ端末Ｂ６のＩＤが設定されていない場合はＩＰ端末Ｂ６に対して規制処理（図５  Ｓ５）を行う。）
そして、Ｓ３の処理で図４の発信ルート選択メモリからＤＣ「０３」とＩＤ「００２」に対応する発信ルートを求め、発信ルートをＲＴ２０と決定する。（Ｓ３の処理で発信ルートが設定されていない場合はＩＰ端末Ｂ６に対して規制処理（図５  Ｓ５）を行う）
これにより、拠点ＢのＭＧ３から発信を行い、市内Ｂの公衆網９へ接続する。この後、ＩＰ端末Ｂ６が復旧することによりＩＰ端末Ａ５と拠点ＢのＭＧ３を接続し、ＩＰ端末Ａ５と市内Ｂの公衆網９とが接続される。また、拠点ＡのＩＰ端末Ａ５が「０３＊＊＊＊＊＊＊」と内線を保留して転送した場合は拠点Ａ５のＭＧ２から発信を行い、市内Ａの公衆網９に接続し、拠点ＣのＩＰ端末Ｃ７が「０３＊＊＊＊＊＊＊」と内線を保留して転送した場合は拠点ＣのＭＧ４から発信し、市内Ｃの公衆網９へ接続される。
【００３２】
次に、本実施形態における不在転送時の市内発信動作について説明する。なお、本実施形態では着信した端末に不在転送先の番号として市内番号が設定されているものとして以下に説明する。
【００３３】
図１において、拠点ＣのＩＰ端末Ｃ７には不在転送先の番号として市内発信番号「０３＊＊＊＊＊＊＊」が予め登録されており、拠点ＡのＩＰ端末Ａ５からＩＰ端末Ｃ７に着信した場合、図３のＩＤ識別メモリを参照してＩＰ端末Ｃ７（内線番号４０００）のＩＤが「００３」であることを認識する。
【００３４】
そして、Ｓ３の処理で図４の発信ルート選択メモリから転送先番号「０３＊＊＊＊＊＊＊」中のＤＣ「０３」とＩＤ「００３」に対応する発信ルートを求め、ＲＴ３０と決定する。これにより拠点ＣのＭＧ４から発信を行い市内Ｃの公衆網９へ接続される。
【００３５】
また、拠点ＡのＩＰ端末Ａ５が転送先番号を「０３＊＊＊＊＊＊＊」と登録した場合は拠点ＡのＭＧ２から発信を行い市内Ａの公衆網９に接続し、拠点ＢのＩＰ端末Ｂが転送先番号を「０３＊＊＊＊＊＊＊」と登録した場合は拠点ＢのＭＧ３から発信を行い市内Ｂの公衆網９に接続される。
【００３６】
話中転送、不応答転送が登録されていた場合も同様に各拠点のＭＧを使用して各市内の公衆網９へ接続される。
【図面の簡単な説明】
【００３７】
【図１】本発明の一実施形態の全体構成を示す構成図である。
【図２】本発明の一実施形態の構成を表で示した説明図である。
【図３】本発明の一実施形態におけるＩＤ識別メモリの構成を示す説明図である。
【図４】本発明の一実施形態における発信ルート選択メモリの構成を示す説明図である。
【図５】本発明の一実施形態の動作を示すフローチャート図である。
【図６】従来技術の一例を示す構成図である。
【図７】従来技術の他例を示す構成図である。
【図８】図７の従来技術におけるゲートウェイ検索テーブルの構成を示す説明図である。
【符号の説明】
【００３８】
１  ＩＰ−ＰＢＸ
２、３，４  ＭＧ
５  ＩＰ端末Ａ
６  ＩＰ端末Ｂ
７  ＩＰ端末Ｃ
８  ＩＰ網
９  公衆網
１０  記憶装置
７１  音声端末通信装置
７２、７３  ゲートウェイ
【図１】
2006253901.tif 000003
【図２】
2006253901.tif 000004
【図３】
2006253901.tif 000005
【図４】
2006253901.tif 000006
【図５】
2006253901.tif 000007
【図６】
2006253901.tif 000008
【図７】
2006253901.tif 000009
【図８】
2006253901.tif 000010